【事件の表示】
　特願２００６−１８６３４２号「コネクタ」拒絶査定不服審判事件〔平成１８年　９月２８日出願公開、特開２００６−２６１１４０号〕について、次のとおり審決する。
【結　論】
　本件審判の請求は、成り立たない。
【理　由】
第１．手続の経緯
　本願は、平成１４年１２月２５日に出願した特願２００２−３７３４０４号出願の一部を平成１８年７月６日に新たな特許出願としたものであって、平成２２年７月２８日付けで平成２１年１１月３０日付の手続補正の補正却下の決定がなされ、さらに同日付けで拒絶査定がなされ、これに対し、平成２２年１１月４日に拒絶査定不服審判の請求がなされるとともに、その審判の請求と同時に手続補正がなされたものである。
　 
第２．平成２２年１１月４日付けの手続補正についての補正却下の決定
［補正却下の決定の結論］
　平成２２年１１月４日付けの手続補正（以下「本件補正」という。）を却下する。
　
［理由］
１．補正の内容
　本件補正により、特許請求の範囲の請求項１は、次のように補正された。
「【請求項１】
　フレキシブルプリント基板（ＦＰＣ）と着脱自在に嵌合するコネクタであって、
　前記フレキシブルプリント基板と接触する接触部を有する所要数のコンタクトと、このコンタクトが保持・固定されるとともに前記フレキシブルプリント基板が挿入される嵌合口を有するハウジングと前記フレキシブルプリント基板に前記コンタクトを押圧する回動部材とを備えるコネクタにおいて、
　前記フレキシブルプリント基板の表裏両面に接触部がある時に、２種類のコンタクトを用いるとともに２種類の前記コンタクトを１対とし、１対の前記コンタクトを
回動部材が装着される側から嵌合口側に向かう方向に貫通した
　一方の前記コンタクトは倒略ｈ形状をし、一方の前記コンタクトは前記ハウジングの嵌合口の反対側から挿入するとともに一方の前記コンタクトの接触部が前記フレキシブルプリント基板の表面の接触部に接触し、一方の前記コンタクトには接触部と接続部との間に弾性部と支点部とを設けるとともに前記接触部と前記弾性部と前記支点部と前記接続部とを略クランク形状に配置し、かつ、前記接続部と対向する位置に前記弾性部から延設された押受部を設けるとともに前記押受部の先端に膨れを防ぐための突出部を設け、
　もう一方の前記コンタクトは倒略Ｉ字形状をし、もう一方の前記コンタクトは前記ハウジングの嵌合口側より挿入するとともにもう一方の前記コンタクトの接触部が前記フレキシブルプリント基板の裏面の接触部に接触するようにし、もう一方の前記コンタクトは
前記挿入溝とのクリアランス分しか弾性変形することがなく、かつ、弾性変形した際には前記接触部の先端側が前記ハウジングの底壁に触れる
弾性変形した前記接触部の先端が触れる前記底壁の直下にはもう一方の前記コンタクトの固定部がなく、
一方の前記コンタクト及びもう一方の前記コンタクトは、それぞれの前記接続部側で前記ハウジングの底壁に保持され、かつ、前記挿入溝に挿入された状態で保持され、
　前記回動部材の押圧部が一方の前記コンタクトの接続部と押受部との間で回動すると、
一方の前記コンタクトの接続部は変位することなく
のみ
前記押圧部で前記フレキシブルプリント基板（ＦＰＣ）を直に押圧することなく、
　前記ハウジングには、一方の前記コンタクトの押受部が変位できるように、絶縁材（肉厚）を配置しないことを特徴とするコネクタ。」
（下線部は補正個所を示す。）
　
２．補正の目的
　本件補正により請求項１に係る発明は、発明を特定するために必要な事項である同一の挿入溝について「回動部材が装着される側から嵌合口側に向かう方向に貫通した」と限定し、もう一方のコンタクトについて「前記挿入溝とのクリアランス分しか弾性変形することがなく、かつ、弾性変形した際には前記接触部の先端側が前記ハウジングの底壁に触れる」こと、及び「弾性変形した前記接触部の先端が触れる前記底壁の直下にはもう一方の前記コンタクトの固定部がなく」と限定し、一方の前記コンタクト及びもう一方の前記コンタクトについて「一方の前記コンタクト及びもう一方の前記コンタクトは、それぞれの前記接続部側で前記ハウジングの底壁に保持され、かつ、前記挿入溝に挿入された状態で保持され」と限定し、一方のコンタクトについて「一方の前記コンタクトの接続部は変位することなく」前記押受部「のみ」が押圧部によって押し上げられること、及び「前記押圧部で前記フレキシブルプリント基板（ＦＰＣ）を直に押圧することなく」と限定するものであり、かつ、補正前の請求項１に記載された発明と補正後の請求項１に記載される発明は、産業上の利用分野及び解決しようとする課題が同一であるので、本件補正は、平成１８年法律第５５号改正附則第３条第１項によりなお従前の例によるとされる同法による改正前の特許法第１７条の２第４項第２号の特許請求の範囲の減縮を目的とするものに該当する。
　
　そこで、本件補正後の前記請求項１に記載された発明（以下、「本願補正発明」という。）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか。）について以下に検討する。
　
３．引用例　
（１）原査定の拒絶の理由に引用された、本願の原出願の出願前に頒布された刊行物である特開２００２−１９０３６０号公報（以下「引用例１」という。）には、図面とともに次の事項が記載されている。
　
ア．「表裏に多数のプリント配線端子が配置された端子部を備えるプリント配線基板が挿入される基板挿入溝を有するハウジングを備え、該ハウジングの基板挿入溝内に前記プリント配線端子の表裏方向で対向し、前記プリント配線基板の端子部を挟持する接触片を多数並べて備えてなるプリント配線板用コネクタにおいて、前記対向した一方の接触片を挟持動作用接触片とし、該挟持動作用接触片と対向する位置にある他方の接触片を対向側接触片として別個に形成し、前記挟持動作用接触片を前記基板挿入溝内に挿入された前記プリント配線基板の端子部を挟持する側に動作させる挟持動作手段を備え、前記各接触片に端子片部をそれぞれ一体に形成し、該各端子片部を前記ハウジング外に突出させたことを特徴としてなるプリント配線板用コネクタ。」（【請求項１】）
 　 
イ．「ＦＰＣ２は、図８に示すように、その端部の表裏にプリント配線端子１０，１０…が千鳥状に配置された端子部１１を備えて構成されている。
　プリント配線板用コネクタ１は、ＦＰＣ２が挿入される基板挿入溝３を有するハウジング４を備え、その基板挿入溝３内には、ＦＰＣ２のプリント配線端子１０，１０…の配列に合わせて、挟持動作用接触片１２と対向側接触片１３とがＦＰＣの表裏方向に対向して多数並べられている。また、このコネクタ１は、挟持動作用接触片１２を挟持する側に動作させる挟持動作手段１４を備えて構成されている。
　挟持動作用接触片１２は、図５に示すように、先端の接点部分２５においてプリント配線端子１０に接触する接触部２０と、ハウジング４に対して固定される固定片部２１と、接触部２０と固定片部２１とを連結する弾性変形可能な連結部２２と、接触部２０の後端側に、前記固定片部２１と平行配置の被操作片部２３と、固定片部２１の後端側に突設された端子片部２４とが金属材をもって一体に形成されている。また、固定片部２１は、ハウジングに対し固定させるために、後端部を略Ｕ字状に形成させ、この部分でハウジングの肉厚部４ａを挟持して固定片部２１をハウジングに対して固定させる。また、固定片部２１は、ハウジングに対し固定させるために、後端部を略Ｕ字状に形成させ、この部分でハウジングの肉厚部４ａを挟持して固定片部２１をハウジングに対して固定させる。」（段落【００１０】〜【００１２】）
　
ウ．「また、この挟持動作用接触片１２は、接触部２０の長さが異なるものが２種類用意され、この接触部２０の長さが異なるもの１２ａ，１２ｂを交互に並べることにより、接点部分２５がＦＰＣ２のプリント配線端子１０のパターンに対応して千鳥配置に配置される。
　図７に示すように、対向側接触片１３も挟持動作用接触片１２と同様に、接点部分２５を千鳥配置とするために２種類用意され、両対向側接触片１３ａ，１３ｂは、挟持動作用接触片１２の接触部と対向する接触部２０（「２６」の誤記と認める）と、ハウジング４に対して固定される固定片部２７と、固定片部２７から突設された端子片部２８とを備えて構成されている。
　固定片部２７は両対向側接触片１３ａ，１３ｂに共通して奥側に開いた二股形状に形成されており、この部分にハウジング下側の肉厚部分４ｂを挟持させて固定させるようになっている。」（段落【００１３】〜【００１５】）
 　 
エ．「ハウジング４は、合成樹脂をもって偏平な直方体状に成形されており、ハウジング４の正面側には、横長の基板挿入溝３がＦＰＣの端子部１１が差し込まれるように正面側に開口して形成されている。
　基板挿入溝３のＦＰＣ２の表裏方向で対向する面の表側の面には、挟持動作用接触片１２の接触部が挿入される挟持動作用接触片挿入溝１８，１８…が後方の開口部１５と連通して形成され、また、図４、図６に示すように、ハウジング４の下寄り部分には、動作用接触片挿入溝１８と平行な位置に挟持動作用接触片１２の固定片部２１の側部が保持される固定片部保持溝４ｃ，４ｃ…が並列で形成されている。また、基板挿入溝３の裏側の面には、対向側接触片１３が挿入保持される対向側接触片保持溝１９，１９…が前方に開口されて形成されている。」（段落【００１７】〜【００１８】）
 　 
オ．「操作子１６は、横長の棒状に形成され、その先端部両側端には回動軸部２９が突設されている。そして、ハウジング４の背面両側端部には、凹形の回動支持部１７が設けられており、操作子１６は回動軸２９を回動支持部１７に挿入してハウジング４の背面側に装着され、回動軸２９を中心にして、図４（Ｂ）、図６（Ｂ）に示す解除位置と図４（Ａ）、図６（Ａ）に示す接続位置とに回動自在になっている。…（中略）… 。
　そして、操作子１６の先端部には押圧部３１が設けられており、押圧部３１は、操作子１６を回動させることにより、挟持動作用接触片１２の被操作片部２３と固定片部２１との間を挿入自在となっている。操作子１６が接続位置のとき、図４（Ａ）、図６（Ａ）に示すように、押圧部３１は、挟持動作用接触片１２の固定片部２１と被操作片部２３との間に挿入され、被操作片部２３を上方に押圧し、それに連動して接触部２０が基板挿入溝３に対して下方に突出されるようになっている。」（段落【００２１】〜【００２２】）
 　 
カ．「プリント配線板用コネクタ１にＦＰＣ２を接続するには、図４（Ｂ）、図６（Ｂ）に示すように、操作子１６を解除位置にした状態で、ＦＰＣ２の端子部１１を基板挿入溝３に差し込み、次に、片手でＦＰＣ２を借り（「仮」の誤記と認める）保持しながら、図４（Ａ）、図６（Ａ）に示すように、操作子１６を接続位置に回動させる。
　操作子１６を接続位置に回動させると、全ての挟持動作用接触片１２が、連結部２２の弾性をもって被操作片部２３が上方に付勢されて、接触部２０を基板挿入溝３に対して下方に突出させることにより、挟持動作用接触片１２の接触部２０の接点部分２５とＦＰＣ２上面のプリント配線端子１０とを、対向側接触片１３の接触部２０とＦＰＣ２下面のプリント配線端子１０とを圧接して、ＦＰＣ２上下面の多数のプリント配線端子１０が一括して接続されると共に、挟持動作用接触片１２と対向側接触片１３とにより確実に挟持される。
　また、ＦＰＣ２を取り外す際には、操作子１６を解除位置に回動させた状態にして、ＦＰＣ２を基板挿入溝３から抜き出せば、容易に取り外すことができる。」（段落【００２４】〜【００２６】）
 　 
キ．「本発明に係るプリント配線板用コネクタは、…（中略）… ＦＰＣ等とコネクタとの接続が容易に行うことができ、また、挟持動作用接触片と対向側接触片とを独立したものとしたことにより、ＦＰＣの１ピッチ間に独立した２回路を形成することができ、同じスペースのＦＰＣに比べ２倍の接触部が得られ、省スペース化に役立つ。また、多極化にも有効である。
　挟持動作用接触片は、接触部をハウジングに対して固定される固定片部に対して弾性変形可能な連結部を介して一体となし、該接触部の後端側に、前記固定片部と平行配置の被操作片部を一体に突設し、該被操作片部と前記固定片部間に操作子を挿入自在にすることにより、操作性が向上し、ＦＰＣ等とコネクタの接続が容易となる。
　ハウジングに対し、挟持動作用接触片を基板挿入溝開口面とは反対側から挿入させるとともに、対向側接触片を前記基板挿入溝開口面側から挿入したことにより、容易に上下に独立した接触片を挿入する事ができ、上下方向の省スペース化にも有効となる。
　長さの異なった２種類の挟持動作用接触片を使用し、互いに隣り合う挟持動作用接触片の長さを違えて先端の接触部を千鳥状配置とし、該各接触部と対向する位置にそれぞれ対向側接触片の接触部を位置させることにより、ＦＰＣ１ピッチ間の間隔を狭めることができ、省スペース、小型化に有効である。」（段落【００２８】〜【００３１】）
　
ク．図１、図２、図４、図６によれば、ハウジング４は、挟持動作用接触片１２の被操作片部２３の上方には、被操作片部２３を変位できるようにするための操作子１６が回動できるように、ハウジングが配置されていない点が記載されている。
 　 
　上記記載事項及び図１〜８を総合すると、引用例１には、次の発明（以下「引用発明１」という。）が記載されていると認められる。
 　 
「ＦＰＣ２と着脱自在に嵌合するプリント配線板用コネクタであって、ＦＰＣ２と接触する接点部分２５をそれぞれ有する所要数の挟持動作用接触片１２及び対向側接触片１３と、これら挟持動作用接触片１２及び対向側接触片１３が保持・固定されるとともにＦＰＣ２が挿入される基板挿入溝３開口を有するハウジング４と、ＦＰＣ２に挟持動作用接触片１２及び対向側接触片１３を押圧する操作子１６とを備えるプリント配線板用コネクタ１において、
　ＦＰＣ２の表裏両面にプリント配線端子１０，１０，…がある時に、挟持動作用接触片１２と対向側接触片１３の２種類の接触片を用いるとともに２種類の接触片を１対とし、１対の挟持動作用接触片１２及び対向側接触片１３を、それぞれ、基板挿入溝３の表側の面に形成された挟持動作用接触片挿入溝１８及び裏側の面に形成された対向側接触片保持溝１９内に、各々の接触部２０，２６の接点部分２５が対向するように配置し、
　挟持動作用接触片１２はハウジング４の基板挿入溝３開口の反対側から挿入するとともに挟持動作用接触片１２の接触部２０の接点部分２５がＦＰＣ２の表面のプリント配線端子１０に接触し、挟持動作用接触片１２には、接触部２０と、固定片部２１及び端子片部２４との間に弾性変形可能な連結部２２を設けるとともに接触部２０と連結部２２と固定片部２１と端子片部２４とを略クランク形状に配置し、かつ、固定片部２１と対向する位置に連結部２２から延設された被操作片部２３を設け、
　対向側接触片１３はハウジング４の基板挿入溝３開口側より挿入するとともに対向側接触片１３の接触部２６の接点部分２５がＦＰＣ２の裏面のプリント配線端子１０に接触するようにし、対向側接触片１３は接触部２６と端子片部２８とを有し、
　挟持動作用接触片１２及び対向側接触片１３は、それぞれ固定片部２１の後端部略Ｕ字状部分及び固定片部２７の二股形状部分でハウジング下側肉厚部４ａ，４ｂに固定され、挟持動作用接触片挿入溝１８及び対向側接触片保持溝１９に挿入された状態で保持され、
　操作子１６には長手方向に連設した押圧部３１を設け、押圧部３１が挟持動作用接触片１２の固定片部２１と被操作片部２３との間で回動自在に回動するように操作子１６をハウジング４に装着し、
　操作子１６の押圧部３１が挟持動作用接触片１２の固定片部２１と被操作片部２３との間で回動すると、挟持動作用接触片１２の固定片部２１は変位することなく被操作片部２３のみが押圧部３１によって押し上げられることで、弾性変形可能な連結部２２によって、押圧部３１でＦＰＣ２を直に押圧することなく、挟持動作用接触片１２の接触部２０の接点部分２５が、ＦＰＣ２の表面側に押圧され、ＦＰＣ２の裏面側に対向側接触片１３が押圧され、挟持動作用接触片１２と対向側接触片１３とでＦＰＣ２を挟持し、
　ハウジング４は、挟持動作用接触片１２の被操作片部２３の上方には、被操作片部２３を変位できるようにするための操作子１６が回動できるように、ハウジングが配置されていないプリント配線板用コネクタ１。」
　　　
（２）同じく原査定の拒絶の理由に引用された、本願の原出願の出願前に頒布された刊行物である特開平９−１７１８５８号公報（以下「引用例２」という。）には、図面とともに次の事項が記載されている。
　
ア．「【請求項１】  先端両面に露出金属面を有する複数の端子部を備えたフラットケーブルの同先端部を挿入可能なスリット状の開口を備え、内部にて上記端子部に対して端子金具の当接部を押圧せしめるようにして当該フラットケーブルを保持するフラットケーブル用コネクタであって、
上記ケーシングは、上記端子金具を上記スリットの開口側と背面側からそれぞれ挿入せしめて保持しつつ、これらの開口側端子金具と背面側端子金具とが上記フラットケーブルにおけるそれぞれの面の端子部に対して上記当接部を押圧せしめることを特徴とするフラットケーブル用コネクタ。
【請求項２】  スリット状の開口を備えて、先端両面に露出金属面を有する複数の端子部を備えたフラットケーブルの同先端部を挿入可能なケーシングと、
上記ケーシングの開口側から挿入されて先端の当接部が上記フラットケーブルにおける一方の面の端子部に当接するように支持される開口側端子金具と、
上記ケーシングの背面側から挿入されて先端の当接部が上記フラットケーブルにおける他方の面の端子部に当接するように支持される背面側端子金具とを具備することを特徴とするフラットケーブル用コネクタ。」（【特許請求の範囲】の請求項１，２）
　
イ．「図において、フラットケーブル１０は、フィルム状の媒体１１の表裏面に銅箔などの金属膜からなる六つの電線路１２を備え、同電線路１２自体は保護フィルムにて被覆して絶縁している。しかし、フラットケーブル１０の先端では同電線路１２を幅広としつつ露出せしめ、当該金属面を端子部１３としてある。」（段落【００１６】）
　
ウ．「開口側端子金具３０はフラットケーブル１０の下面に沿って延設されて同フラットケーブル１０の下面に当接するし、背面側端子金具４０は同フラットケーブル１０の上面を覆うよう延設されて同上面に当接する。」（段落【００２２】）
　
エ．「図１２〜図１４に示すように、カバー６０を背面側にスライドさせると当接部４３の先端が凹部６２内に入り込み、上方に引き上げられて当接部４３，３３の間の隙間が広がる。この状態でフラットケーブル１０を挿入すれば、低挿入力で開口側端子金具３０と背面側端子金具４０の当接部３３，４３の間に挿入することができる。その後、図１５〜図１７に示すように、カバー６０を開口側にスライドさせると当接部４３は凹部６２から引き出されるので、フラットケーブル１０が挿入されていれば当接部３３と当接部４３との間でフラットケーブル１０を挟み込む。」（段落【００２９】）
　
オ．図１３、図１６には、倒略Ｉ字形状の開口側端子金具３０が記載されている。
　
　上記記載事項及び図示内容を総合すると、引用例２には、次の発明（以下「引用発明２」という。）が記載されている。
　
「フラットケーブル１０と当接する当接部３３，４３を有する複数の開口側端子金具３０及び複数の背面側端子金具４０と、開口側端子金具３０及び背面側端子金具４０が保持されるとともにフラットケーブル１０が挿入される開口２１を有するケーシング２０とフラットケーブル１０に開口側端子金具３０及び背面側端子金具４０を押圧するフラットケーブル用コネクタであって、
　フラットケーブル１０表裏両面に複数の端子部１３がある時に、開口側端子金具３０及び背面側端子金具４０を用い１対とし、一対の開口側端子金具３０及び背面側端子金具４０の各当接部３３，４３が対向するように配置し、
　背面側端子金具４０はケーシング２０の開口２１の反対の背面側から挿入するとともに当接部４３がフラットケーブル１０の表面の端子部１３に当接し、
　開口側端子金具３０は、ケーシング２０の開口２１側より挿入するとともに当接部３３がフラットケーブル１０の裏面の端子部１３に当接するようにし、
　背面側端子金具４０の当接部４３がフラットケーブル１０の表面側に押圧され、フラットケーブル１０の裏面側に開口側端子金具３０の当接部３３が押圧され、背面側端子金具４０及び開口側端子金具３０でフラットケーブル１０を挟み込むフラットケーブル用コネクタにおいて、
　開口側端子金具３０を倒略Ｉ字形状をしたフラットケーブル用コネクタ。」
　
（３）同じく原査定の拒絶の理由に引用された、本願の原出願の出願前に頒布された刊行物である特開２００２−２７０２９０号公報（以下「引用例３」という。）には、図面とともに次の技術的事項が記載されている。
　　　
ア．「【発明が解決しようとする課題】前記両従来のＦＰＣ用コネクタでは、インシュレータの天井部は、コネクタの略全長を被覆するように構成され、また、略エ字形状のコンタクトの２辺は、ＦＰＣと平行に直線状に伸びるように構成されている。したがって、コンタクトの前記２辺を連結する連結ばね部又は支柱を長く構成すると、コネクタが高くならざるを得ない。
　また、前記第１の従来のＦＰＣ用コネクタでは、アクチュエータ７３のカム部７３ａが各コンタクト７１のばね部７１ｄの後端と接する部分以外では、アクチュエータ７３と各コンタクト７１とが干渉しないようにしなければならないので、アクチュエータ７３を大きく回転することができない。したがって、アクチュエータ７３の小さい角度の回転により、アクチュエータ７３のカム部７３ａと各コンタクト７１のばね部７１ｄの後端との間に所要の接触力を得なければならないため、アクチュエータ７３の回転に大きい操作力を必要とする。また、アクチュエータ７３による各コンタクト７１の接触部７１ａの移動量が小さいため、アクチュエータ７３と各コンタクト７１の寸法のばらつきが接触力を大きくばらつかせるので、コネクタの信頼性が低下する。
　更に、前記第２の従来のＦＰＣ用コネクタでは、回転ビーム８１ａの内側にアクチュエータ８３が取り付けられる構成であるため、コネクタを低背にすることが困難である。
　そこで、本発明は前記両従来のＦＰＣ用コネクタの欠点を改良し、アクチュエータを小さい操作力で操作でき、また、アクチュエータによるコンタクトの移動量を大きくして接続を確実に行うことができ、更に、低背のコネクタを提供しようとするものである。」（段落【０００９】〜【００１２】）
　　　
イ．「図６において、コンタクト１０は、接触部１１、接触部１２、連結ばね部１３、ばね部１４及びばね部１５から偏平な略エ字形状に構成される。・・・また、ばね部１５の一端側の下面には、プリント基板６０に半田付けにより接続するための端子部１７が形成される。接触部１１とばね部１４は、１本のビームを形成し、また、接触部１２とばね部１５も、１本のビームを形成する。」（段落【００２１】）
　　　
ウ．「アクチュエータ３０は、カム部３１と手指による操作部３３を有し、カム部３１と操作部３３との間に各コンタクト１０のばね部１４の先端付近１４ａが挿入脱出可能な逃げ溝３２を形成される。アクチュエータ３０は、支点３１ａを中心として図６の位置から図７の位置まで９０°右回転することができる。アクチュエータ３０が右回転するとき、カム部３１は各コンタクト１０のばね部１４と連結ばね部１３を弾性変形させる。すると、接触部１１の突起１１ａ，１１ｂと接触部１２の突起１２ａ，１２ｂとの間で、ＦＰＣ５０は挟圧される。したがって、ＦＰＣ５０の表面に形成されたパターン（図示せず）は、各コンタクト１０の端子部１７を介してプリント基板６０に接続される。突起（１１ａ，１１ｂ又は１２ａ，１２ｂ）の構成により、同一のコネクタでＦＰＣ５０の接点がプリント基板６０側にある場合と反プリント基板６０側にある場合の両方の場合に接続することができる。」（段落【００２３】）
　
エ．「従来のコネクタでは、インシュレータの天井部は、コネクタの略全長を被覆するように構成されるが、本発明では、インシュレータの天井部は、コンタクトの少なくとも一方の接触部を被覆する。また、本発明では、コンタクトの少なくとも一方の接触部は、連結ばね部の近傍に接続対象物に向>かって傾斜する傾斜部を有する。したがって、コネクタは、低背に構成することが可能である。」（段落【００２６】）
　
オ．「アクチュエータに逃げ溝を設けたので、アクチュエータは、ばね部１４の先端付近１４ａを全長で逃がす必要がなく、また、回転角を大きくとることができ、操作力を小さくすることができる。」（段落【００２９】）
　　　
　上記記載事項及び図６、図７を総合すると、引用例３には、次の発明（以下「引用発明３」という。）が記載されていると認められる。
　　　
「ＦＰＣ５０と着脱自在に嵌合するコネクタであって、所要数のコンタクト１０と、ＦＰＣ５０が挿入される嵌合口を有するインシュレータ２０と、ＦＰＣ５０にコンタクト１０を押圧するアクチュエータ３０とを備えるＦＰＣ用コネクタにおいて、
　コンタクト１０はインシュレータ２０の嵌合口の反対側から挿入するとともにコンタクト１０の接触部１１がＦＰＣ５０の表面の接点に接触し、コンタクト１０には、接触部１１と、ばね部１５及び端子部１７との間に、連結ばね部１３を設けるとともに、接触部１１と連結ばね部１３とばね部１５と端子部１７とを略クランク形状に配置し、ばね部１５と対向する位置に連結ばね部１３から延設されたばね部１４を設け、
　アクチュエータ３０には長手方向に連設した細長形状のカム部３１を設けるとともにアクチュエータ３０が開いた状態でコンタクト１０のばね部１４の先端付近１４ａが入る逃げ溝３２を設け、カム部３１がコンタクト１０のばね部１５とばね部１４との間で回動自在に回動するように、アクチュエータ３０をインシュレータ２０に装着し、
　アクチュエータ３０のカム部３１がコンタクト１０のばね部１５とばね部１４との間で回動すると、ばね部１４がカム部３１によって押し上げられることで連結ばね部１３が弾性変形することによって、コンタクト１０の接触部１１がＦＰＣ５０側に押圧されて、カム部３１でＦＰＣ５０を直に押圧することなく、コンタクト１０の接触部１１，１２でＦＰＣ５０を挟持する、ＦＰＣ用コネクタ。」
　
４．対比
　本願補正発明と引用発明１とを比較する。
　引用発明１における「ＦＰＣ２」は、本願補正発明における「フレキシブルプリント基板」に相当し、以下同様に、「プリント配線板用コネクタ１」は「コネクタ」に、「接点部分２５」は「接触部」に、「挟持動作用接触片１２及び対向側接触片１３」は「２種類のコンタクト」に、「基板挿入溝３開口」は「嵌合口」に、「操作子１６」は「回動部材」に、「ＦＰＣ２の表裏両面のプリント配線端子１０」は「フレキシブルプリント基板の表裏両面の接触部」に、「挟持動作用接触片１２」は「一方のコンタクト」に、「接触部２０の接点部分２５」は「一方のコンタクトの接触部」に、「弾性変形可能な連結部２２」は「弾性部」に、「被操作片部２３」は「押受部」に、「対向側接触片１３」は「もう一方のコンタクト」に、「接触部２６の接点部分２５」は「もう一方のコンタクトの接触部」に、「端子片部２８」は「もう一方のコンタクトの接続部」に、「ハウジング下側」は「ハウジング底壁」に、それぞれ相当する。
　
　また、本願補正発明における「挿入溝」とは、明細書の段落【００１３】に記載の、「所要数のコンタクト１４，１６が装着される挿入溝２８」を指すものと解されるところ、本願の図１〜３には、一対のコンタクト１４，１６のうち、一方のコンタクト１４がハウジングの嵌合口２４の表側の面に形成された挿入溝２８に装着され、もう一方のコンタクト１６がそれに対向するように配置されたものが示されていることから、本願補正発明における「一対のコンタクトを同一の挿入溝内に接触部が対向するように配置」との発明特定事項は、このような配置を指すものと解される。
　よって、引用発明１における「１対の挟持動作用接触片１２及び対向側接触片１３を、それぞれ、基板挿入溝３の表側の面に形成された挟持動作用接触片挿入溝１８及び裏側の面に形成された対向側接触片保持溝１９内に、各々の接触部２０，２６の接点部分２５が対向するように配置」は、本願補正発明における「一対のコンタクトを同一の挿入溝内に接触部が対向するように配置」に相当するものである。
　
　そして、本願補正発明の「一方のコンタクト」が「倒略ｈ形状」であることについて、明細書の段落【００１５】に「一方の前記コンタクト１４は、図４（Ａ）のように倒略ｈ形状をしており、主にＦＰＣ２２と接触する接触部３０と基板に接続する接続部３４とハウジング１２に固定する固定部３６と前記接触部３０と前記接続部３６（「固定部３６」と「接続部３４」のいずれの誤記であるか不明）との間に設けられた弾性部４０及び支点部３８と前記接続部３６（「固定部３６」と「接続部３４」のいずれの誤記であるか不明）と対向する位置に前記弾性部４０から延設された押受部３２とを備えている。」と記載されていることより、「一方のコンタクト」が、「接触部３０」、「押受部３２」、「弾性部４０」、「支点部３８」、「固定部３６」及び「接続部３４」によって「倒略ｈ形状」とされているとの意であると解されるから、引用例１の図４に記載のような形状の、「接触部２０」、「被操作片部２３」、「連結部２２」、「固定片部２１」及び「端子片部２４」からなる「挟持動作用接触片１２」も、本願補正発明の「一方のコンタクト」と同じく、「倒略ｈ形状」であると言える。
　また、本願補正発明の「一方のコンタクト」の「支点部」とは、明細書の記載及び図４（Ａ）より、弾性部４０と固定部３６との交点部分を指すものと解されるから、引用例１の図４を参照すれば、引用発明１も、連結部２２と固定片部２１との交点部分に、本願補正発明における「支点部」に相当する部分を有しているものである。
　また、本願補正発明は、「接続部と対向する位置に前記弾性部から延設された押受部を設ける」との発明特定事項と、「押圧部が一方のコンタクトの接続部と押受部との間で回動自在に回動する」との発明特定事項とを備えているところ、本願の図３，４（Ａ）をみると、「押受部３２」は「接続部３４」でなく「固定部３６」と対向する位置に延設され、「押圧部５０」は「接続部３４と押受部３２との間」でなく「固定部３６と押受部３２との間」で回動するものであるから、上記明細書の記載及び図面を参酌すれば、本願補正発明でいうもう一方のコンタクトの「接続部」とは、本願明細書及び図面における「接続部３４」と「固定部３６」を合わせた部分を指すものと解される。したがって、引用発明１における「固定片部２１」及び「端子片部２４」は、本願補正発明の「接続部」に相当するものであると言える。
　また、引用発明１の「挟持動作用接触片１２及び対向側接触片１３は、それぞれ固定片部２１の後端部略Ｕ字状部分及び固定片部２７の二股形状部分でハウジング下側肉厚部４ａ，４ｂに固定され、挟持動作用接触片挿入溝１８及び対向側接触片保持溝１９に挿入された状態で保持され」は、本願補正発明の「一方の前記コンタクト及びもう一方の前記コンタクトは、それぞれの前記接続部側で前記ハウジングの底壁に保持され、かつ、前記挿入溝に挿入された状態で保持され」に相当するものである。
　さらに、引用発明１の「ハウジング４は、挟持動作用接触片１２の被操作片部２３の上方には、被操作片部２３を変位できるようにするための操作子１６が回動できるように、ハウジングが配置されていない」は、被操作片部２３の上部のみならず、被操作片部２３の回動をさまたげるような他の部分にも絶縁材を設けないようにすることは当業者にとって自明の技術的事項であるから、本願補正発明の「ハウジングには、一方のコンタクトの押受部が変位できるように、絶縁材（肉厚）を配置しない」に相当するものである。
　　
　加えて、引用例１には、操作子１６（回動部材）の押圧部３１が回動して被操作片部２３（押受部）を押し上げたとき、弾性変形可能な連結部２２（弾性部）が、連結部２２と固定片部２１との交点部分（支点部）を支点にして挟持動作用接触片１２（一方のコンタクト）の接触部２０の接点部分（接触部）側に傾くものであるか否かについて明記はされていないが、このとき、該交点部分を支点にして、連結部２２が接触部２０の接点部分側に傾くことによって、接触部２０の接点部分２５がＦＰＣ２に押圧されることは、当業者にとって自明の技術的事項である。
　　　
　すると、本願補正発明と引用発明１とは、次の一致点及び相違点を有するものである。
　　　
　＜一致点＞
　フレキシブルプリント基板（ＦＰＣ）と着脱自在に嵌合するコネクタであって、
　前記フレキシブルプリント基板と接触する接触部を有する所要数のコンタクトと、このコンタクトが保持・固定されるとともに前記フレキシブルプリント基板が挿入される嵌合口を有するハウジングと前記フレキシブルプリント基板に前記コンタクトを押圧する回動部材とを備えるコネクタにおいて、
　前記フレキシブルプリント基板の表裏両面に接触部がある時に、２種類のコンタクトを用いるとともに２種類の前記コンタクトを１対とし、１対の前記コンタクトを同一の挿入溝内に接触部が対向するように配置し、
　一方の前記コンタクトは倒略ｈ形状をし、一方の前記コンタクトは前記ハウジングの嵌合口の反対側から挿入するとともに一方の前記コンタクトの接触部が前記フレキシブルプリント基板の表面の接触部に接触し、一方の前記コンタクトには接触部と接続部との間に弾性部と支点部とを設けるとともに前記接触部と前記弾性部と前記支点部と前記接続部とを略クランク形状に配置し、かつ、前記接続部と対向する位置に前記弾性部から延設された押受部を設け、
　もう一方の前記コンタクトは前記ハウジングの嵌合口側より挿入するとともにもう一方の前記コンタクトの接触部が前記フレキシブルプリント基板の裏面の接触部に接触するようにし、もう一方の前記コンタクトは接触部と接続部とを有し、
　一方の前記コンタクト及びもう一方の前記コンタクトは、それぞれの前記接続部側で前記ハウジングの底壁に保持され、かつ、前記挿入溝に挿入された状態で保持され、
　前記回動部材には長手方向に連設した押圧部を設けるとともに、前記押圧部が一方のコンタクトの接続部と押受部との間で回動自在に回動するように前記回動部材を前記ハウジングに装着し、
　前記回動部材の押圧部が一方の前記コンタクトの接続部と押受部との間で回動すると、一方の前記コンタクトの接続部は変位することなく前記押受部のみが押圧部によって押し上げられることで一方の前記コンタクトの支点部を支点にし、一方の前記コンタクトの弾性部が前記接触部側に傾くことによって、前記押圧部で前記フレキシブルプリント基板（ＦＰＣ）を直に押圧することなく、一方の前記コンタクトの前記接触部が前記フレキシブルプリント基板の表面側に押圧され、前記フレキシブルプリント基板の裏面側にもう一方の前記コンタクトが押圧され、一方及びもう一方の前記コンタクトで前記フレキシブルプリント基板を挟持し、
　前記ハウジングには、一方の前記コンタクトの押受部が変位できるように、絶縁材（肉厚）を配置しないことを特徴とするコネクタ。
　　　
　＜相違点＞　
（相違点１）
「もう一方のコンタクト」が、本願補正発明では「倒略Ｉ字形状」をしているのに対し、引用発明１ではそのような形状とされていない点。
　
（相違点２）
「同一の挿入溝」が、本願補正発明では回動部材が装着される側から嵌合口側に向かう方向に貫通しているのに対し、引用発明１では貫通していない点。
　
（相違点３）
「もう一方のコンタクト」が、本願補正発明では「挿入溝とのクリアランス分しか弾性変形することがなく、かつ、弾性変形した際には接触部の先端側が前記ハウジングの底壁に触れる接触部を有し、弾性変形した前記接触部の先端が触れる前記底壁の直下にはもう一方の前記コンタクトの固定部がな」いのに対して、引用発明１ではそのような構成ではない点。
　
（相違点４）
　回動部材に、本願補正発明では回動部材が開いた状態で一方のコンタクトの押受部が入る「係止孔」が設けられているのに対し、引用発明１ではそのような「係止孔」が設けられていない点。
　
（相違点５）
「一方のコンタクト」が、本願補正発明では「押受部の先端」に「突出部」が設けられており、この「突出部」が係合することによって、係止孔を備えた回動部材の中央部の「膨れを防ぐ」のに対し、引用発明１ではそのような「突出部」を有していない点。
　
５．相違点の判断
　上記相違点について検討する。
　　
＜相違点１について＞
　本願補正発明と引用発明２とを比較すると、引用発明２における「端子部１３」は、本願補正発明における「（フレキシブルプリント基板の）接触部」に相当し、以下同様に、「当接」は「接触」に、「開口側端子金具３０及び背面側端子金具４０」は「２種類のコンタクト」に、「背面側端子金具４０」は「一方のコンタクト」に、「開口側端子金具３０」は「もう一方のコンタクト」に、「開口２１」は「嵌合口」に、「ケーシング２０」は「ハウジング」に、「開口２１の反対の背面側」は「嵌合口の反対側」に、「当接部４３」は「一方のコンタクトの接触部」に、「当接部３３」は「もう一方のコンタクトの接触部」に、「挟み込む」は「挟持し」に、「フラットケーブル用コネクタ」は「コネクタ」に、それぞれ相当する。
　そして、引用発明２の「フラットケーブル１０」と本願補正発明の「フレキシブルプリント基板（ＦＰＣ）」とは、フレキシブル平板状配線部材の点で共通する。
　すると、引用発明２は、本願補正発明の用語を用いると次のようになる。
「フレキシブル平板状配線部材と当接する当接部３３，４３を有する所要数のコンタクトと、コンタクトが保持・固定されるとともにフレキシブル平板状配線部材が挿入される嵌合口を有するハウジングとフレキシブル平板状配線部材コンタクトを押圧するコネクタであって、
　フレキシブル平板状配線部材の表裏両面に接触部がある時に、２種類のコンタクトを用いるとともに２種類のコンタクトを１対とし、１対のコンタクトを接触部が対向するように配置し、
　一方のコンタクトはハウジングの嵌合口の反対側から挿入するとともに接触部がフレキシブル平板状配線部材の表面の接触部に接触し、
　もう一方のコンタクトはハウジング嵌合口側より挿入するとともに接触部がフレキシブル平板状配線部材の裏面の接触部に接触するようにし、
　一方のコンタクトの接触部がフレキシブル平板状配線部材の表面側に押圧され、フレキシブル平板状配線部材の裏面側にもう一方のコンタクトの接触部が押圧され、一方及びもう一方のコンタクトでフレキシブル平板状配線部材を挟持するコネクタにおいて、
　もう一方のコンタクトを倒略Ｉ字形状としたコネクタ。」
　してみると、引用発明２は、本願補正発明と同様に、表裏両面に接触部があるフレキシブル平板状配線部材を、ハウジング嵌合口側及びその反対側から挿入され保持された２種類の１対のコンタクトでフレキシブル平板状配線部材の両面から押圧挟持するコネクタにおいて、嵌合口側から挿入し裏面の接触部に接触するコンタクトを倒略Ｉ字形状とするものである。そして、コンタクトの技術分野において、低背化のために、湾曲したコンタクトが撓むためのスペースを必要としない倒略Ｉ字形状のコンタクトとすることは周知の技術的事項である（例えば、特開２０００−２５１９９０号公報の段落【００１２】、【００６０】参照。）ことを勘案すれば、引用発明１における、フレキシブルプリント基板の裏面の接触部に接触するもう一方のコンタクトを、低背化のために、引用発明２に倣い、倒略Ｉ字形状ものとすることは当業者が容易に想到し得たことである。
　
＜相違点２について＞
　２種類のコンタクトを挿入する貫通する同一の挿入溝をハウジングに設けることはコネクタにおいて従来周知の技術的事項であるから（例えば、特開平８−４５５７８号公報の段落【００３１】〜段落【００３３】及び図１，２、特開平１０−２９４１５４号公報を参照。）、本願補正発明において、挿入溝を貫通することは当業者であれば適宜為し得る設計的事項である。
　
＜相違点３について＞
　＜相違点１について＞で検討したように、引用発明１のもう一方のコンタクトを、引用発明２の倒略Ｉ字形状のコンタクトに倣い、倒略Ｉ字形状とすれば、自ずと相違点３に係る構成となるものと考えられるから、引用発明１及び引用例３に記載された事項に基づき、相違点３に係る構成とすることは当業者が容易になし得たことである。
　
＜相違点４について＞
　本願補正発明と引用発明３とを比較すると、引用発明３における「インシュレータ２０」は、本願補正発明における「ハウジング」に相当し、以下同様に、「アクチュエータ３０」は、「回動部材」に、「ＦＰＣ５０の接点」は「フレキシブルプリント基板の接触部」に、「ばね部１５」及び「端子部１７」は「接続部」に、「連結ばね部１３」は「弾性部」に、「ばね部１４」は「押受部」に、「カム部３１」は「押圧部」に、「逃げ溝３２」は「係止孔」に、それぞれ相当する。
　すると、引用発明３は、本願補正発明の用語を用いると次のようになる。
「フレキシブルプリント基板（ＦＰＣ）と着脱自在に嵌合するコネクタであって、所要数のコンタクトと、フレキシブルプリント基板が挿入される嵌合口を有するハウジングと、フレキシブルプリント基板にコンタクトを押圧する回動部材とを備えるコネクタにおいて、
　コンタクトはハウジングの嵌合口の反対側から挿入するとともにコンタクトの接触部（１１）がフレキシブルプリント基板の表面の接触部に接触し、コンタクトには接触部（１１）と接続部との間に弾性部を設けるとともに、接触部（１１）と弾性部と接続部とを略クランク形状に配置し、接続部と対向する位置に弾性部から延設された押受部を設け、
　回動部材には長手方向に連設した押圧部を設けるとともに回動部材が開いた状態でコンタクトの押受部が入る係止孔を設け、押圧部がコンタクトの接続部と押受部との間で回動自在に回動するように、回動部材をハウジングに装着し、
　回動部材の押圧部がコンタクトの接続部と押受部との間で回動すると、押受部が押圧部によって押し上げられることで弾性部が弾性変形することによって、押圧部でフレキシブルプリント基板（ＦＰＣ）を直に押圧することなく、コンタクトの接触部（１１）がフレキシブルプリント基板側に押圧されて、コンタクトの接触部（１１，１２）でフレキシブルプリント基板を挟持する、コネクタ。」
　　
　そして、上記「２．（２）」の摘記事項ア，オを参照すると、引用発明３は、図８，９に記載の、係止孔が設けられていない回動部材（アクチュエータ）を備えた従来のコネクタにおける、大きい操作力を必要とするという課題、コンタクトの接触力のばらつきによりコネクタの信頼性が低下するという課題、コネクタを低背にすることが困難であるという課題を解決するために、回動部材（アクチュエータ３０）にコンタクトの押受部（ばね部１４）の先端が入る係止孔（逃げ溝３２）を形成したものであると理解できる。
　したがって、小型化、省スペース化を課題としながらも、回動部材（操作子１６）に係止孔が設けられていなかった引用発明１において、より一層のコネクタの低背化を実現するために、回動部材として、引用発明３における、押圧部を有しコンタクトの押受部先端が入る係止孔が設けられたものを採用することは、当業者であれば容易に想到し得るものである。
　　
＜相違点５について＞
　回動部材の回動により、挿入されたＦＰＣにコンタクトの接触部を押圧接触させるコネクタであって回動部材に係止孔が形成されたものにおいて、係止孔に入るコンタクトの押受部先端に突出部を設けることは、当該技術分野において従来周知の技術的事項である（例えば、特開２００１−３４５１３６号公報、特開２００１−７６７９４号公報参照。）。
　したがって、＜相違点４について＞で検討したように、引用発明１において、引用発明３の係止孔が設けられた回動部材を採用する際に、上記周知の技術的事項を参酌し、係止孔に入るコンタクトの押受部先端に突出部を設けることに、格別の困難性は見出せない。
　また、コンタクトの押受部の突出部が回動部材の係止孔（押圧部）に係合することによって、回動部材の回動時に、回動部材の変形や膨れを防止できることは、当業者にとって自明の技術的事項であって、本願補正発明において上記周知の技術的事項を採用したことによる効果も格別のものとは言えない。
　
　そして、本願補正発明の効果も、引用発明１ないし３及び周知の技術的事項から当業者が予測し得る程度のものであって格別のものはないから、本願補正発明は、引用発明１ないし３及び周知の技術的事項に基づいて、当業者が容易に為し得たものと言わざるを得ない。
　
　よって、本願補正発明は、引用発明１ないし３及び周知の技術的事項に基づいて、当業者が容易に発明をすることができたものであるので、特許法第２９条第２項の規定により、特許出願の際独立して特許を受けることができない。
　
６．むすび 
　以上のとおり、本件補正は、平成１８年法律第５５号改正附則第３条第１項によりなお従前の例とされる同法による改正前の特許法第１７条の２第５項において準用する同法第１２６条第５項の規定に違反するので、同法第１５９条第１項において読み替えて準用する同法第５３条第１項の規定により却下すべきものである。
　
第３．本願発明について
１．本願発明
　本件補正は、上記のとおり却下されたので、本願の請求項１に係る発明（以下「本願発明」という。）は、平成２１年３月２３日付けの手続補正で補正された特許請求の範囲の請求項１に記載された事項により特定される、以下のとおりのものである。
「フレキシブルプリント基板（ＦＰＣ）と着脱自在に嵌合するコネクタであって、
　前記フレキシブルプリント基板と接触する接触部を有する所要数のコンタクトと、このコンタクトが保持・固定されるとともに前記フレキシブルプリント基板が挿入される嵌合口を有するハウジングと前記フレキシブルプリント基板を前記コンタクトに押圧する回動部材とを備えるコネクタにおいて、
　前記フレキシブルプリント基板の表裏両面に接触部がある時に、２種類のコンタクトを用いるとともに２種類の前記コンタクトを１対とし、１対の前記コンタクトを同一の挿入溝内に接触部が対向するように配置し、
　一方の前記コンタクトは倒略ｈ形状をし、一方の前記コンタクトは前記ハウジングの嵌合口の反対側から挿入するとともに一方の前記コンタクトの接触部が前記フレキシブルプリント基板の表面の接触部に接触し、一方の前記コンタクトには接触部と接続部との間に弾性部と支点部とを設けるとともに前記接触部と前記弾性部と前記支点部と前記接続部とを略クランク形状に配置し、かつ、前記接続部と対向する位置に前記弾性部から延設された押受部を設けるとともに前記押受部の先端に膨れを防ぐための突出部を設け、
　もう一方の前記コンタクトは倒略Ｉ字形状をし、もう一方の前記コンタクトは前記ハウジングの嵌合口側より挿入するとともにもう一方の前記コンタクトの接触部が前記フレキシブルプリント基板の裏面の接触部に接触するようにし、もう一方の前記コンタクトは接触部と接続部とを有し、
　前記回動部材には長手方向に連設した押圧部を設けるとともに前記回動部材が開いた状態で一方の前記コンタクトの押受部が入る係止孔を設け、前記押圧部が一方のコンタクトの接続部と押受部との間で回動自在に回動するように前記回動部材を前記ハウジングに装着し、
　前記回動部材の押圧部が一方の前記コンタクトの接続部と押受部との間で回動すると、前記押受部が押圧部によって押し上げられることで一方の前記コンタクトの支点部を支点にし、一方の前記コンタクトの弾性部が前記接触部側に傾くことによって、一方の前記コンタクトの前記接触部が前記フレキシブルプリント基板の表面側に押圧され、前記フレキシブルプリント基板の裏面側にもう一方の前記コンタクトが押圧され、一方及びもう一方の前記コンタクトで前記フレキシブルプリント基板を挟持し、
　前記ハウジングには、一方の前記コンタクトの押受部が変位できるように、絶縁材（肉厚）を配置しないことを特徴とするコネクタ。」
　 
２．引用例の記載事項
　原査定の拒絶の理由に引用された引用例、及び、その記載事項は、前記「第２．３．」に記載したとおりである。
　
３．対比・判断
　本願発明は、前記「第２．１．」の本願補正発明から、同一の挿入溝についての「回動部材が装着される側から嵌合口側に向かう方向に貫通した」との限定事項、もう一方のコンタクトについての「前記挿入溝とのクリアランス分しか弾性変形することがなく、かつ、弾性変形した際には前記接触部の先端側が前記ハウジングの底壁に触れる」こと、及び「弾性変形した前記接触部の先端が触れる前記底壁の直下にはもう一方の前記コンタクトの固定部がなく」との限定事項、一方の前記コンタクト及びもう一方の前記コンタクトについての「一方の前記コンタクト及びもう一方の前記コンタクトは、それぞれの前記接続部側で前記ハウジングの底壁に保持され、かつ、前記挿入溝に挿入された状態で保持され」との限定事項、一方のコンタクトについての「一方の前記コンタクトの接続部は変位することなく」前記押受部「のみ」が押圧部によって押し上げられること、及び「前記押圧部で前記フレキシブルプリント基板（ＦＰＣ）を直に押圧することなく」との限定事項を省いたものである。
　そうすると、本願発明の発明特定事項をすべて含み、さらに、他の発明特定事項を付加したものに相当する本願補正発明が、前記「第２．５．」に記載したとおり、引用発明１ないし３及び周知の技術的事項に基づいて、当業者が容易に発明をすることができたものであるから、本願発明も、同様に、引用発明１ないし３及び周知の技術的事項に基づいて、当業者が容易に発明をすることができたものである。
　
４．むすび
　以上のとおり、本願発明は、引用発明１ないし３及び周知の技術的事項に基づいて、当業者が容易に発明をすることができたものであるから、特許法第２９条第２項の規定により、特許を受けることができない。
　したがって、本願は、他の請求項について検討するまでもなく、拒絶すべきものである
　よって、結論のとおり審決する。